(57)【特許請求の範囲】
【請求項１】
画像を読み取る画像読取手段と、読み取った画像を記録紙に形成する画像形成手段とからなり、前記画像読取手段と画像形成手段とを分離して接続可能な画像形成装置であって、
前記画像形成手段内の温度を検知する検知手段と、
該温度検知手段の検知温度に基づき、前記画像読取手段及び前記画像形成手段の動作クロック周波数を制御する制御手段を備え、
前記制御手段は、
前記画像形成手段の動作クロック周波数を前記画像読取手段との組み合わせ可能な最も高い動作クロック周波数に設定した後、
前記検知手段の検知温度が所定の値以下の場合には、前記画像形成手段の動作クロック周波数を変更せず、
前記検知手段の検知温度が前記所定の値を超え、かつ前記画像読取手段が低クロック動作モードを有しない場合には、前記画像形成手段の動作クロック周波数を前記画像読取手段との組み合わせ可能なより低い動作クロック周波数に設定し、
前記検知手段の検知温度が前記所定の値を超え、かつ前記画像読取手段が低クロック動作モードを有する場合には、前記画像読取手段を前記画像形成手段との組み合わせ可能なより低い動作クロック周波数で動作させた後、
前記検知手段の検知温度が前記所定の値以下となった場合には、前記画像形成手段の動作クロック周波数を変更せず、
前記検知手段の検知温度が、なお前記所定の値を超えている場合には、前記画像形成手段の動作クロック周波数を前記画像読取手段との組み合わせ可能なより低い動作クロック周波数に変更する、
ことを特徴とする画像形成装置。
【請求項２】
前記検知手段は前記画像形成手段内のＣＰＵを搭載した制御基板の周囲温度を検知することを特徴とする請求項１記載の画像形成装置。
【発明の詳細な説明】
【０００１】
【発明の属する技術分野】
本発明は、画像読取装置から入力された画像情報を画像書込装置により記録媒体に書き込む画像形成装置に関するものである。
【０００２】
【従来の技術】
従来より、複写機等の画像形成装置においては、画像読取部と画像書込部とが一体的に組み込まれたものが多く、単体の装置として使用されてきている。しかし近年、デジタル複写機等が現れてきており、その特徴を生かして画像読取装置（リーダ）と画像書込装置（プリンタ）とが別々なものとなり、それらを容易に分離し、また接続して使用できるようになってきている。
【０００３】
【発明が解決しようとする課題】
しかしながら、上記のような従来の画像形成装置にあっては、装置内の雰囲気温度やＣＰＵ、画像処理ＩＣ等が搭載されている基板の周囲温度はリーダ部とプリンタ部各々のＣＰＵや画像処理回路等の消費電力によって決められ、またリーダ部の画像転送速度はその種類毎に異なる。このため、画像転送速度の速いリーダを接続した場合には画像処理のＩＣの動作クロックも高周波になり、リーダ部とプリンタ部が同時に動作した際に装置内の画像処理ＩＣ及び周辺回路の消費電力が増加し、周囲温度が所定の値を超えるといった悪影響を与える恐れがある。
【０００４】
本発明は上記のような問題点に鑑みてなされたもので、その目的は、複数の動作速度の異なるリーダがプリンタに接続された場合でも、プリンタ部に搭載された温度検知手段で動作中の温度を読み取り、その読み取り値に応じてプリンタ部とリーダ部の同時動作を制限したり、あるいはまたそれらの動作クロック周波数を低くすることで、装置内部の温度上昇レベルを所定の値以下に抑えられる画像形成装置を提供することにある。
【０００５】
【課題を解決するための手段】
上記目的を達成するため、本発明では、画像形成装置を次の（１）または（２）のとおりに構成する。
（１）画像を読み取る画像読取手段と、読み取った画像を記録紙に形成する画像形成手段とからなり、前記画像読取手段と画像形成手段とを分離して接続可能な画像形成装置であって、前記画像形成手段内の温度を検知する検知手段と、該温度検知手段の検知温度に基づき、前記画像読取手段及び前記画像形成手段の動作クロック周波数を制御する制御手段を備え、前記制御手段は、前記画像形成手段の動作クロック周波数を前記画像読取手段との組み合わせ可能な最も高い動作クロック周波数に設定した後、前記検知手段の検知温度が所定の値以下の場合には、前記画像形成手段の動作クロック周波数を変更せず、前記検知手段の検知温度が前記所定の値を超え、かつ前記画像読取手段が低クロック動作モードを有しない場合には、前記画像形成手段の動作クロック周波数を前記画像読取手段との組み合わせ可能なより低い動作クロック周波数に設定し、前記検知手段の検知温度が前記所定の値を超え、かつ前記画像読取手段が低クロック動作モードを有する場合には、前記画像読取手段を前記画像形成手段との組み合わせ可能なより低い動作クロック周波数で動作させた後、前記検知手段の検知温度が前記所定の値以下となった場合には、前記画像形成手段の動作クロック周波数を変更せず、前記検知手段の検知温度が、なお前記所定の値を超えている場合には、前記画像形成手段の動作クロック周波数を前記画像読取手段との組み合わせ可能なより低い動作クロック周波数に変更する、ことを特徴とする画像形成装置。
（２）前記検知手段は前記画像形成手段内のＣＰＵを搭載した制御基板の周囲温度を検知することを特徴とする前記（１）記載の画像形成装置。
【００１６】
【発明の実施の形態】
以下、本発明の実施例を図面に基づいて説明する。
【００１７】
（実施例１）
図１は本発明の実施例に係る複写機等の画像形成装置である画像処理装置の概略構成を示す縦断面図である。同図において、１は画像処理装置を示し、この画像処理装置１００は、原稿画像を読み取る画像読取部であるリーダ部（画像読取装置）１０と、読み取った画像を記録媒体に書き込む画像記録部であるプリンタ部（画像書込装置）２０とからなり、これらを分離して接続可能となっている。
【００１８】
上記リーダ部１０は、原稿給送装置１１、原稿台ガラス１２、ランプ１３及びミラー１４を備えたスキャナ・ユニット（スキャナ部）１５、ミラー１６，１７、レンズ１８、及びＣＣＤイメージ・センサ部（以下ＣＣＤと記す）１９を有している。
【００１９】
またプリンタ部２０は、露光制御部２１、感光体２２、現像器２３、記録紙（転写紙）の積載部２４，２５、転写部２６、定着部２７、排紙部２８、搬送方法を切り替える切替部材２９、再給紙用の記録紙（転写紙）の積載部３０、及びピン３１，３２を備えたソータ３３を有している。
【００２０】
次に、上記構成になる画像処理装置の動作について説明する。
【００２１】
図１において、リーダ部１０の原稿給送装置１１上に積載された複数枚の原稿は、１枚ずつ順次原稿台ガラス１２上に搬送される。原稿が原稿台ガラス１２の所定位置に搬送されると、スキャナ部のランプ１３が点灯し且つスキャナ・ユニット１５が移動して、原稿がランプ１３により照射される。そして、原稿の反射光は、ミラー１４，１６，１７及びレンズ１８を介してＣＣＤ１９の受光面に入力される。このＣＣＤ１９に照射された原稿の反射光は、ここで光電変換されて、画像信号として出力される。
【００２２】
上記ＣＣＤ１９より出力された画像信号は、プリンタ部２０に送られ、不図示の画像処理回路により適宜画像処理が施された後、露光制御部２１に送られる。露光制御部２１では、変調された光信号に変換され、この光信号が感光体２２を照射することにより、感光体２２上に潜像が形成される。この感光体２２上に形成された潜像は、現像器２３によって現像される。
【００２３】
そして、上記現像された像の先端とタイミングを合わせて積載部２４あるいは積載部２５より記録紙が搬送され、転写部２６にて現像された像が記録紙に転写される。この記録紙に転写された像は、定着部２７により記録紙に定着された後、排紙部２８より装置外部に排出される。排紙部２８から排出された記録紙は、ソータ３３でソート機能が働いている場合には各ピン３２等に、またソート機能が働いていない場合にはソータ３３の最上位のピン３１に排出される。
【００２４】
次に、順次読み込む画像を１枚の記録紙の両面に書き込んで出力する場合について説明する。
【００２５】
この場合、定着部２７により像が定着された記録紙を一度排紙部２８まで搬送後、搬送方向を反転して切替部材２９を介して再給紙用の記録紙の積載部３０に搬送する。そして、次の原稿が準備されると、上記のプロセスと同様にして原稿画像が読み取られるが、記録紙については再給紙用の積載部３０から給紙されるので、結局同一記録紙の表面と裏面に２枚の原稿画像を記録することができる。
【００２６】
図２は本実施例の画像処理装置１の制御構成を示すブロック図であり、同図中、図１と同一構成部分には同一符号が付してある。また、矢印Ａ部は上述のリーダ部１０に、矢印Ｂ部はプリンタ部２０にそれぞれ含まれるものである。
【００２７】
ＣＣＤ１９内で光電変換され、適宜アナログ増幅及びＡ／Ｄ変換された画像データは、ライン４１を介してリーダコントローラ（以下Ｒコンと記す）４２に送られる。Ｒコン４２では、受け取った画像データをシェーディング補正をかけた後、画像転送バス４３を介して主コントローラ４４へ送る。また、Ｒコン内で生成したＣＣＤ１９駆動用の各種タイミングパルスは、ライン４５を介してＣＣＤ１９へ送られる。
【００２８】
上記Ｒコン４２にはステッピングモータ４６が接続され、Ｒコン４２の制御によりステッピングモータ４６が正／逆回転することにより、前述のスキャナ・ユニット１５が往／復動し、原稿台ガラス１２上の原稿を走査することができる。
【００２９】
主コントローラ４４は、プリンタ部２０及びリーダ部１０を総合的に制御するユニット化された制御部（制御手段）であり、各種制御用のデータをデータバス４７を介してＲコン４２とやり取りする。
【００３０】
ユーザインターフェイス部４８（以下ＵＩ／Ｆと記す）は各種キーやＬＣＤ等の表示部からなり、各キーの入力情報をライン４９を介して主コントローラ４４に送り、また主コントローラ４４から出力される表示データを受け取り、その表示データに従って表示を行う。
【００３１】
低圧電源ユニット（以下ＬＶＴと記す）５０は、不図示の商用電源からＡＣ電圧を受け取り、制御ライン５１からの主コントローラ４４の指示の元に、低圧電源を生成する。低圧電源としては、ＣＰＵ等の制御回路に給電する制御電源（３．３Ｖ等）や、モータやソレノイドを駆動するためのパワー電源（２４Ｖ等）がある。制御電源は、電源ライン５２を介してＲコン４２に供給されるとともに、プリンタ部２０内の必要な各ユニット（図示せず）に供給される。また、パワー電源は電源ライン５３を介してＲコン４２に供給されるとともに、プリンタ部２０内の必要な各ユニット（図示せず）に供給される。
【００３２】
上記Ｒコン４２より受け取った画像データは、主コントローラ４４内で変倍、エッジ強調、２値化等の画像処理を施された後、ライン５４を介してプリンタコントローラ（以下Ｐコンと記す）５５に送られる。Ｐコン５５は、プリンタ部２０の紙送り系の制御や画像形成に必要な帯電系の制御を行うユニットであり、各種制御用のデータをデータバス５６を介して主コントローラ４４とやり取りする。また、ライン５４を介して受け取った画像データに、プリントに必要な各種タイミング信号を付加して画像データバス５６に出力する。
【００３３】
そして、前述の露光制御部２１は、画像データバス５７を介して受け取った画像データやタイミング信号に従って不図示のレーザを所定の光量で発行させて感光体２２を照射することにより、感光体２２上に潜像を形成する。
【００３４】
外部インターフェイス５８は、画像処理装置１以外の装置、例えばパーソナルコンピュータと通信を行うためのインターフェイスであり、主コントローラ４４に接続されている。
【００３５】
図３は上記図２に示すＲコン４２の構成を示すブロック図である。同図中、図２と同一構成部分については同一符号を付してある。
【００３６】
ＣＰＵ６１はリーダ部１０の動作を制御していて、ローカルデータバス６２を経由してパルス生成器６３と初期画処理器６４の設定及び動作タイミングを与えている。またデータバス４７を経由して主コントローラ４４と情報の受け渡しを行っており、更に、モータ制御信号線６５を使ってモータドライバ６６を介してステッピングモータ４６を制御している。
【００３７】
モータドライバ６６は、モータ制御信号線６５からのステッピングモータの回転速度を示すモータクロック信号と回転方向信号及び駆動イネーブル信号に従って、モータ駆動線６７によりステッピングモータ４６を駆動する。ステッピングモータ４６の駆動には、上述の電源ライン５３からのパワー電源を使用する。
【００３８】
パルス生成器６３は、発振器６８からライン６９を通して送られてくるクロックの供給を受け、ＣＰＵ６１による設定に従ってＣＣＤタイミング信号を生成してライン４５に送出し、ＣＣＤ１９を駆動すると同時に、同タイミング信号によってＣＣＤ１９から送られてくるライン４１からの画像データに同期した画像クロックを生成し、ライン７０を通して初期画処理器６４に送出する。この画像クロックのスピードは、上記のＣＣＤタイミング信号との相関性を保った状態で、ＣＰＵ６１により選択的に切り換えが可能である。
【００３９】
初期画処理器６４は、ＣＣＤ１９より送られてくるライン４１からの画像データにシェーディング処理を施した後、画像転送バス４３にライン７０からの画像クロックに同期させて送り出す。また、データバス４７に含まれる画像データに関する情報信号は、直接初期画処理器６４に入力され、画像データに関連するクリティカルなタイミング信号の受け渡しを行っている。
【００４０】
本構成においては、ＣＰＵ６１の動作クロックとライン７０の画像クロックは同期している必要性がないため、同期している状態を含めて互いに任意に選択が可能となっている。
【００４１】
図４は図１の画像処理装置１の操作部７１の構成例を示す平面図である。同図に示すように、この操作部７１には、各種キーと、ＬＣＤ（液晶表示装置）からなるドットマトリックスで構成された表示器７２とが配置されている。表示器７２は、画像処理装置１の状態、コピー枚数、倍率、選択用紙及び各種操作モード画面を表示し、後述する各種コントロールキーにより操作されるものである。
【００４２】
７３はスタートキーで、コピー動作を開始させるためのキーである。７４は復帰（リセット）キーで、設定モードを標準状態に復帰（リセット）させるためのキーである。７５はキー群で、コピー枚数やズーム倍率等を入力するための０から９までのテンキーと、その入力をクリアするためのクリアキー等を有している。７６，７７は濃度調整キーで、濃度をアップ／ダウンさせるためのキーである。これらの濃度調整キー７６，７７により調整される濃度の状態は、バースケール状の濃度表示部７８に表示される。７９は自動濃度調整機能をオン／オフするためのキーで、その表示部を兼ねている。
【００４３】
８０は給紙段及びオート用紙選択モードを選択するためのキーであり、その選択状態は表示部８１に表示される。８２，８３，８４はそれぞれ定形縮小モード、等倍モード、拡大モードを設定するための縮小キー、等倍キー、拡大キーである。８５はオート変倍モードを設定するためのオート変倍モード設定キーで、その設定状態は表示部８１に表示される。
【００４４】
図５は図２に示す主コントローラ４４の構成を示すブロック図である。この主コントローラ４４は、ＣＰＵ１０１がＲＯＭ１０２内のプログラムに基づいて全体の制御を行うものである。
【００４５】
ＲＡＭ１０３は、ＣＰＵ１０１のワークエリア、及びリーダ部１０で読み取った画像の記憶にも使用される。１０４はシリアル通信コミュニケーションインターフェイスであり、ここを介してＣＰＵ１０１は前述のＲコン４２、ＬＶＴ５０、Ｐコン５５と情報の送受信を行う。１０５はクロック生成部であり、ＣＰＵ１０１の設定に基づきＣＰＵ１０１へ供給するクロック周波数を変えることが可能である。
【００４６】
１０６はＰＣインターフェイス（Ｉ／Ｆ）部で、バイセントロ等のインターフェイスであり、パソコンからプリントデータを受け取ったり、画像処理装置１の状態をパソコンに通知したりする。１０７は画像データの圧縮及び伸長を高速に行う圧縮／伸長部であり、ＪＢＩＧ、ＭＭＲ等のフォーマットをサポートする。１０８は１０ｂａｓｅ等のネットワークとのインターフェイス部であり、ＣＰＵ１０１はネットワーク上のコンピュータからプリントデータを受け取ったり、画像処理装置１の状態をコンピュータに通知したりする。
【００４７】
１０９はファックス部であり、モデムや回線処理回路を含み、所定のフォーマットで圧縮された画像データを通信回線（ＰＳＴＮ）を介して送信したり、受信したりする。１１０は前述のＵＩ／Ｆ４８とのインターフェイス部であり、ＬＣＤコントローラを含んでいる。ＣＰＵ１０１は、ここを介して表示データをＵＩ／Ｆ４８に渡したり、キー入力データを受け取る。１１１は画像処理部で、画像転送バス４３を介してリーダ部１０より画像データを受け取り、画像処理（後述）を施した後、ビデオ入力インターフェイス（Ｉ／Ｆ）部１１２に出力する。ビデオ入力インターフェイス部１１２は、タイミングを変換してＲＡＭ１０３にデータを記憶させる。
【００４８】
上記ＲＡＭ１０３に記憶された画像データは、ビデオ出力インターフェイス（Ｉ／Ｆ）部１１３でタイミングが変換され、画像処理部１１１で画像処理（後述）が施された後、画像転送バス５４を介してＰコン５５へ送られる。また、ＣＰＵ１０１の周囲温度を検知する温度センサ（温度検知手段）１１４は、ＣＰＵ１０１のＡ／Ｄ入力ポートに接続され、検知した値が所定値以下であるかが判断される。
【００４９】
図６は上記画像処理部１１１の構成を示すブロック図である。８ビットの白黒画像データは、そのまま８ビットのデータとしてビデオ入力インターフェイス部１１２へ送られる場合と、以下の画像処理を施される場合がある。
【００５０】
すなわち、変倍部１２１で拡大や縮小の変倍処理、フィルタ部１２２でフィルタ処理、γ補償部１２３でプリンタ等の特性にあわせてＬｏｇ変換、２値化部１２４で誤差拡散等のアルゴリズムにより２値化を行い、情報量を少なくする。また、ビデオ出力インターフェイス部１１３からの６００ｄｐｉの画像データは、スムージング部１２５で擬似的に２４００ｄｐｉのデータに変換される。
【００５１】
図７は図２に示すＰコン５５の構成を示すブロック図である。同図中、１３１はプリンタ部２０のメカニカルな制御を行うＣＰＵで、ＲＯＭ１３２に記憶されたプログラムに従って制御を行う。１３３はＣＰＵ１３１が使用するＲＡＭである。１３４は入出力（Ｉ／Ｏ）ポートであり、各種センサ１３５からの信号はここを介してＣＰＵ１３１に読み込まれる。各種センサ１３５には、例えば転写紙の有無を検出する紙センサ等が含まれる。
【００５２】
上記入出力ポート１３４の出力ポートの出力はドライバ１３６に入力され、ここで必要なドライブ電圧に変換されて、各種負荷１３７へ入力される。各種負荷１３７には、定着ヒータ、紙送り用のモータやクラッチ、ソレノイド、ファン等が含まれる。
【００５３】
１３８はシリアル通信コミュニケーションインターフェイスであり、ここを介してＣＰＵ１３１は前述の主コントローラ４４と情報の送受信を行う。また、定着部２７の温度を検出する温度センサは、ライン１３９を介してＣＰＵ１３１の第１のＡ／Ｄ入力ポートに接続され、ＣＰＵ１３１はここで検出した温度に応じて定着ヒータの制御を行う。
【００５４】
１４０は画像処理部で、上記の主コントローラ４４から送られてきた画像データを主走査方向のタイミングを合わせて露光制御部２１へ渡す。
【００５５】
なお、リーダ部１０が低騒音動作モードを有している場合には、シリアル通信コミュニケーションインターフェイス１３８を介してリーダ部１０を低騒音モードで動作させることも可能である。
【００５６】
図８は図２に示すＬＶＴ５０の構成を示すブロック図である。同図中、ＣＰＵ１５１はＬＶＴ５０の動作を制御する、ＲＯＭ、ＲＡＭを含む１チップＣＰＵである。このＣＰＵ１５１は、ライン５１を介して主コントローラ４４と情報をやり取りする。
【００５７】
商用電源１５２からの入力は平滑回路１５３により平滑され、その出力は各ＤＣ／ＤＣコンバータ部（以下ＣＮＶと記す）１５４，１５５，１５６，１５７に入力される。
【００５８】
ＣＮＶ（１）１５４は常時動作をしていて、制御用の電源３．３Ｖ（Ａ）を生成する。この３．３Ｖ（Ａ）は、ＣＰＵ１５１に供給される。
【００５９】
ＣＮＶ（２）１５５は３．３Ｖ（Ｂ）を生成する。この３．３Ｖの電源は、ＣＰＵ１５１によりオン／オフ制御することができる。
【００６０】
ＣＮＶ（３）１５６はパワー電源（２４Ｖ）を生成する。このパワー電源は、ＣＰＵ１５１によりオン／オフ制御することができる。
【００６１】
ＣＮＶ（４）１５７はパワー電源（２可変）を生成する。この可変電源は、ＣＰＵ１５１によりオン／オフ制御、及び出力電圧を設定することができる。また、このＣＮＶ（４）１５７内には電流リミッタ回路が設けられており、かつリミットを掛ける電流値もＣＰＵ１５１により設定することができる。
【００６２】
以上、本実施例の画像処理装置１の各部の詳細について説明したが、本実施例では、少なくとも１種類のリーダ部１０とプリンタ部２０を分離して接続可能に構成し、リーダ部１０は画像情報を出力し、プリンタ部２０と制御情報を送受信する第１のインターフェイス手段を有し、プリンタ部２０は画像情報を入力し、リーダ部１０と制御情報を送受信する第２のインターフェイス手段と、内部の温度としてＣＰＵ１３１を搭載した制御回路基板の周囲温度を検知する温度センサ１１４を有している。
【００６３】
そして、プリンタ部２０は予め上記第１と第２のインターフェイス手段を介してリーダ部１０と同時動作可能に設定して動作させ、温度センサ１１４が検知した温度が所定値を超えた場合に、リーダ部１０とプリンタ部２０の同時動作を禁止して制御するようにしている。
【００６４】
図９は上述の本実施例の制御動作を示すフローチャートであり、プリンタ部２０内の温度上昇を抑制する昇温抑制シーケンスを示している。なお、このフローチャートに示す制御処理は、図２の主コントローラ４４のＣＰＵ１０１によりＲＯＭ１０２に予め記憶されたプログラムに従って実行されるものである。
【００６５】
先ず、電源投入後にプリンタ部２０はリーダ部１０と同時動作可能であるように動作する（Ｓ１）。そして、温度センサ１１４の値を主コントローラ４４のＣＰＵ１０１で読み取る（Ｓ２）。
【００６６】
次に、検出した温度が所定の値以下であるかどうかを判断し（Ｓ３）、所定の値以下であれば主コントローラ４４はプリンタ部２０とリーダ部１０を同時動作可能なまま制御を行う（Ｓ４）。
【００６７】
また、Ｓ３で所定の値を超えた場合には、リーダ部１０とプリンタ部２０の同時動作を禁止する（Ｓ５）。そして、以降Ｓ２と同様に温度を検知しながら動作を制御する。
【００６８】
このように、動作中の装置内の温度がプリンタ部２０に設けた温度センサ１１４で読み取られ、その読み取り値が所定の値を超えた場合に、プリンタ部２０とリーダ部１０の同時動作を禁止することで、リーダ部１０とプリンタ部２０各々のＣＰＵ６１，１３１及び画像処理回路素子の消費電力を合わせた値を低下させ、プリンタ部２０の温度上昇を抑えて動作させている。これにより、動作時の画像転送速度が異なる複数のリーダをプリンタへ接続する場合でも、装置内の温度昇温レベルに応じて装置内部の温度上昇を抑制することができる。
【００６９】
（実施例２）
本実施例は、上述の実施例に加えて、プリンタ部２０の画像形成処理の動作クロック周波数としてＣＰＵ１３１や画像処理部１４０の動作クロック周波数を制御する制御手段を主コントローラ４４に構成し、その動作クロック周波数を低下させる低クロック動作モードを有するようにしている。
【００７０】
そして、プリンタ部２０は予め前述の第１と第２のインターフェイス手段を介してリーダ部１０と組み合わせ可能な最も高いクロック周波数でＣＰＵ１３１や画像処理部１４０を動作させ、温度センサ１１４が検知した温度が所定値を超えた場合に、プリンタ部２０を低クロック動作モードで制御するようにしている。
【００７１】
なお、その他の構成については図１〜図８と同じであるので、重複する説明は省略する。
【００７２】
図１０は本実施例の制御動作を示すフローチャートであり、図９と同様プリンタ部２０内の温度上昇を抑制する昇温抑制シーケンスを示している。このフローチャートに示す制御処理も、図２の主コントローラ４４のＣＰＵ１０１によりＲＯＭ１０２に予め記憶されたプログラムに従って実行されるものである。
【００７３】
先ず、電源投入後にプリンタ部２０はリーダ部１０と組み合わせ可能な最も高い周波数で動作させるように主コントローラ４４のクロック生成部１０５を設定して、ＣＰＵ１０１を動作させる。（Ｓ１１）。同時に、温度センサ１１４によりコントローラ（制御回路基板）の温度を主コントローラ４４のＣＰＵ１０１で読み取る（Ｓ１２）。
【００７４】
次に、検出した温度が所定の値以下であるかどうかを判断し（Ｓ１３）、所定の値以下であれば主コントローラ４４はクロック生成部１０５の設定値を変更せずに初期のクロック周波数のまま動作を行う（Ｓ１４）。
【００７５】
また、Ｓ１３で所定の値を超えた場合には、リーダ部１０がパルス発生器６３の画像クロックを低下させる低クロック動作モードを有しているかを判断する（Ｓ１５）。そしてリーダ部１０が低クロック動作モードを有している場合は、再度リーダ部１０のパルス発生器６３の画像クロックをプリンタ部２０と組み合わせ可能な最低の周波数で生成するコマンドをリーダ部１０へ送信し（Ｓ１６）、リーダ部１０を低クロック動作モードで動作させた状態で上記コントローラの温度を温度センサ１１４を介してＣＰＵ１０１で読み取る（Ｓ１７）。
【００７６】
次に、検出した温度レベルが所定の値以下であるかどうかを判断し（Ｓ１８）、所定の値以下であれば主コントローラ４４はクロック生成部１０５の設定値を変更せずに初期のクロック周波数のまま動作を行う（Ｓ１４）。
【００７７】
また、Ｓ１５でリーダ部１０が低クロック動作モードを有していない場合、及びＳ１８で所定の値を超えた場合には、主コントローラ４４はクロック生成部１０５の設定値を変更し、ＣＰＵ１０１への供給クロックの周波数を下げる（Ｓ１９）。
【００７８】
このように、動作中の装置内の温度がプリンタ部２０に設けた温度センサ１１４で読み取られ、その読み取り値が所定の値を超えた場合に、プリンタ部２０のＣＰＵ１３１及び画像処理部１４０のＩＣの動作クロック周波数を下げてそれらの回路素子の消費電力を低下させ、プリンタ部２０の温度上昇を抑えて動作させている。そして、リーダ部１０が低クロック動作モードを有する場合には、リーダ部１０を低クロック動作モードで動作させるコマンドを制御情報として予め定められたインターフェイスに従ってプリンタ部２０からリーダ部１０へ送信し、リーダ部１０を低クロック動作モードで動作させている。これにより、動作時の画像転送速度が異なる複数のリーダをプリンタへ接続する場合でも、装置内の温度昇温レベルに応じて装置内部の温度上昇を抑制することができる。
【００７９】
【発明の効果】
以上説明したように、本発明によれば、複数の動作速度の異なるリーダがプリンタに接続された場合でも、プリンタ部に搭載された温度検知手段で動作中の温度を読み取り、その読み取り値に応じてプリンタ部とリーダ部の同時動作を制限したり、あるいはまたそれらの動作クロック周波数を低くすることで、装置内部の温度上昇レベルを所定の値以下に抑えることができる。
【００８０】
また、リーダ部が低クロック動作モードを有する場合には、プリンタ部の温度上昇に応じてリーダ部を低クロック動作モードで動作させることができる。
【図面の簡単な説明】
【図１】  本発明の実施例に係る画像処理装置の概略構成を示す縦断面図
【図２】  実施例の画像処理装置の制御構成を示すブロック図
【図３】  実施例の画像処理装置におけるリーダコントローラの構成を示すブロック図
【図４】  実施例の画像処理装置の操作部の構成例を示す平面図
【図５】  実施例の画像処理装置における主コントローラの構成を示すブロック図
【図６】  実施例の画像処理装置における画像処理部の構成を示すブロック図
【図７】  実施例の画像処理装置におけるプリンタコントローラの構成を示すブロック図
【図８】  実施例の画像処理装置における低圧電源ユニットの構成を示すブロック図
【図９】  本発明の実施例１の制御動作を示すフローチャート
【図１０】  本発明の実施例２の制御動作を示すフローチャート
【符号の説明】
１  画像処理装置（画像形成装置）
１０  リーダ部（画像読取装置）
１１  原稿給送装置
１２  原稿台ガラス
１３  ランプ
１４  ミラー
１５  スキャナ・ユニット
１６  ミラー
１７  ミラー
１８  レンズ
１９  ＣＣＤイメージ・センサ部
２０  プリンタ部（画像書込装置）
２１  露光制御部
２２  感光体
２３  現像器
２４  積載部
２５  積載部
２６  転写部
２７  定着部
２８  排紙部
２９  切替部材
３０  積載部
３１  ピン
３２  ピン
３３  ソータ
４２  リーダコントローラ
４４  主コントローラ（制御手段）
４８  ユーザインターフェイス
５０  低圧電源ユニット
５５  プリンタコントローラ
６１  ＣＰＵ
７１  操作部
７２  表示部
７３  スタートキー
７４  復帰（リセット）キー
７５  キー群
７６  濃度調整キー
７７  濃度調整キー
７８  濃度表示部
７９  自動濃度調整機能オン／オフキー
８０  給紙段／オート用紙選択キー
８１  表示部
８２  縮小キー
８３  等倍キー
８４  拡大キー
８５  オート変倍モード設定キー
１０１  ＣＰＵ
１０２  ＲＯＭ
１０３  ＲＡＭ
１１１  画像処理部
１１４  温度センサ（温度検知手段）
１３１  ＣＰＵ
１４０  画像処理部
【図１】
0004442848.tif 000002
【図２】
0004442848.tif 000003
【図３】
0004442848.tif 000004
【図４】
0004442848.tif 000005
【図５】
0004442848.tif 000006
【図６】
0004442848.tif 000007
【図７】
0004442848.tif 000008
【図８】
0004442848.tif 000009
【図９】
0004442848.tif 000010
【図１０】
0004442848.tif 000011